(57)【特許請求の範囲】
【請求項１】
左右一組の単一指向性を有するマイクロホンと、前記左右マイクロホンのそれぞれに結合された出没機構と、を含むステレオ録音用マイクロホンユニットであって、
前記出没機構が、
−前記左右マイクロホンのそれぞれの水平方向の角度及び垂直方向の位置の変更を可能とし、
−前記左右マイクロホンの前記水平方向の角度が、互いの収音軸が交差する角度となったときに、前記左右マイクロホンの前記垂直方向の位置を異ならせ、これにより、前記左右マイクロホンの少なくとも一部が上下方向に重なって配置され、
−前記左右マイクロホンの前記水平方向の角度が、互いの収音軸が交差しない角度になったときに、前記左右マイクロホンの前記垂直方向の位置を同じにする、
ように構成されることを特徴とするステレオ収録用マイクロホンユニット。
【請求項２】
前記左右マイクロホンの少なくとも一部が上下方向に重なって配置されたときに、前記左右マイクロホンの互いの収音面が、垂直方向の同一軸線上で交差する、請求項１に記載のステレオ録音用マイクロホンユニット。
【請求項３】
交差する各収音軸の間の角度が、約９０〜１３５°の範囲である、請求項１又は２に記載のステレオ録音用マイクロホンユニット。
【請求項４】
垂直方向の基準位置を仮定し、前記左右マイクロホンの前記垂直方向の位置が、前記基準位置にあるときを収納状態と定義し、また、前記左右マイクロホンの前記垂直方向の位置が、前記基準位置よりも上にあるときを展開状態と定義した場合において、
前記出没機構が、
前記収納状態のときに、前記左右マイクロホンの前記垂直方向の位置を同じにし、
前記展開状態のときに、前記左右マイクロホンの前記垂直方向の位置を異ならせる
ように構成される、請求項１〜３のいずれか１項に記載のステレオ録音用マイクロホンユニット。
【請求項５】
前記出没機構が、
−前記左右のマイクロホンのそれぞれに結合された垂直方向に延びる一対のシャフトと、
−各シャフトの壁面、又は各シャフトを包囲する他の部材の壁面に設けられた一対のガイド溝と、
−各ガイド溝に係止される一対のガイド突起と、を含み、
前記ガイド溝の少なくとも一部が、前記シャフトの回動と上下動とを相互に変換するように傾斜して構成される、請求項１〜４のいずれか１項に記載のステレオ録音用マイクロホンユニット。
【請求項６】
前記出没機構が、少なくとも各シャフトを上下動させる昇降機構を、さらに含む請求項５に記載のステレオ録音用マイクロホンユニット。
【発明の詳細な説明】
【技術分野】
【０００１】
本発明は、ビデオレコーダ、音声レコーダ又は外付けマイクロホンなどに適用することができるステレオ録音用マイクロホンユニットに関する。
【背景技術】
【０００２】
一般に、ビデオレコーダ、音声レコーダ又は外付けマイクロホンなどの機器は、音源をステレオで録音するために、左右一組のマイクロホンを備える。左右マイクロホンは、ステレオ録音に好適な配置で設けられる。例えば、左右マイクロホンをＶ字形、逆Ｖ字形又は平行に配置することが知られている。このうち、逆Ｖ字形の配置は、ＸＹ方式と呼ばれる。ＸＹ方式では、左右マイクロホンの収音軸が互いに交差される。ＸＹ方式は、他の配置と比較して、録音された音の定位表現に優れる。すなわち、ＸＹ方式によれば、左右方向に加えて遠近方向にも、音の配置関係が表現される。さらに、ＸＹ方式は、正面からの音の録音に優れている。
【０００３】
従来から左右マイクロホンの配置を変更可能な録音機器が提案されている。例えば、以下に挙げる特許文献１〜４には、左右マイクロホンの配置を、Ｖ字形、逆Ｖ字形又は平行のいずれかに変更することが可能な音声レコーダが開示されている。
【先行技術文献】
【特許文献】
【０００４】
【特許文献１】特開２０１２−５４７４２号公報
【特許文献２】特開２０１１−１１４６２３号公報
【特許文献３】特開２００９−１７１２４９号公報
【特許文献４】特開２００８−３１１８０２号公報
【発明の概要】
【発明が解決しようとする課題】
【０００５】
＜第１の問題点＞
上述した従来の録音機器は、いずれも左右マイクロホンを逆Ｖ字形の配置にしたときの録音品質が低いという問題があった。特許文献１〜４に示されるように、従来の録音機器は、左右マイクロホンを、同一平面上で逆Ｖ字形に配置するだけの構成であったために、ＸＹ方式の高い録音品質を実現することができない。ＸＹ方式の高い録音品質を実現するためには、第１に、左右マイクロホンが垂直方向の異なる位置に配置されなければならず、第２に、左右マイクロホンが上下方向に重なって配置されなければならない。従来の録音機器における逆Ｖ字形の配置は、ＸＹ方式に必要な２つの構成が欠如しており、厳密な意味で真のＸＹ方式の配置とは言えない。このため、従来の逆Ｖ字形の配置では、録音された音の遠近方向の配置関係が十分に表現されない。また、従来の逆Ｖ字形の配置では、正面からの音を十分に録音することができない。つまり、従来の録音機器では、ＸＹ方式のメリットが得られない。
【０００６】
＜第２の問題点＞
本出願人は、左右マイクロホンを筐体に収納可能としたビデオレコーダを製造・販売している。このビデオレコーダは、「Ｑ４」の商品名で市場に流通されている。本出願人の「Ｑ４」では、録音するときに左右マイクロホンが展開状態となり、また、録音しないときに左右マイクロホンが収納状態となる。「Ｑ４」の左右マイクロホンは、逆Ｖ字形に配置され、かつ垂直方向の異なる位置に配置される。「Ｑ４」の左右マイクロホンは、展開状態のときに真のＸＹ方式の配置となり、高い録音品質が得られる。しかし、収納状態のときには、左右のマイクロホンがＶ字形、逆Ｖ字形又は平行のいずれの配置でもなく、録音品質が低下してしまう問題があった。このため、ユーザが、左右マイクロホンの展開操作を怠ってしまい、収納状態のままで録音してしまった場合には、録音品質が低下してしまう。
【０００７】
本発明は、以下の技術的効果を奏するステレオ録音用マイクロホンユニットを提供することを目的とする。
−左右マイクロホンの配置を真のＸＹ方式と他の方式とに切り替え可能とすること
−左右マイクロホンを真のＸＹ方式の配置にしたときに高い録音品質が得られること
−左右マイクロホンが筐体に収納された状態であっても良好な録音品質が得られること
【課題を解決するための手段】
【０００８】
（１）上記目的を達成するために、本発明のステレオ録音用マイクロホンユニットは、左右一組の単一指向性を有するマイクロホンと、前記左右マイクロホンのそれぞれに結合された出没機構と、を含むステレオ録音用マイクロホンユニットであって、
前記出没機構が、
−前記左右マイクロホンのそれぞれの水平方向の角度及び垂直方向の位置の変更を可能とし、
−前記左右マイクロホンの前記水平方向の角度が、互いの収音軸が交差する角度となったときに、前記左右マイクロホンの前記垂直方向の位置を異ならせ、これにより、前記左右マイクロホンの少なくとも一部が上下方向に重なって配置され、
−前記左右マイクロホンの前記水平方向の角度が、互いの収音軸が交差しない角度になったときに、前記左右マイクロホンの前記垂直方向の位置を同じにする、
ように構成される。
【０００９】
（２）好ましくは、上記（１）のステレオ録音用マイクロホンユニットにおいて、前記左右マイクロホンの少なくとも一部が上下方向に重なって配置されたときに、前記左右マイクロホンの互いの収音面が、垂直方向の同一軸線上で交差する。
【００１０】
（３）好ましくは、上記（１）又は（２）のステレオ録音用マイクロホンユニットにおいて、交差する各収音軸の間の角度が、約９０〜１３５°の範囲である。
【００１１】
（４）好ましくは、上記（１）〜（３）のいずれかのステレオ録音用マイクロホンユニットにおいて、垂直方向の基準位置を仮定し、前記左右マイクロホンの前記垂直方向の位置が、前記基準位置にあるときを収納状態と定義し、また、前記左右マイクロホンの前記垂直方向の位置が、前記基準位置よりも上にあるときを展開状態と定義した場合において、前記出没機構が、前記収納状態のときに、前記左右マイクロホンの前記垂直方向の位置を同じにし、前記展開状態のときに、前記左右マイクロホンの前記垂直方向の位置を異ならせるように構成される。
【００１２】
（５）好ましくは、上記（１）〜（４）のいずれかのステレオ録音用マイクロホンユニットにおいて、前記出没機構が、
−前記左右のマイクロホンのそれぞれに結合された垂直方向に延びる一対のシャフトと、
−各シャフトの壁面、又は各シャフトを包囲する他の部材の壁面に設けられた一対のガイド溝と、
−各ガイド溝に係止される一対のガイド突起と、を含み、
前記ガイド溝の少なくとも一部が、前記シャフトの回動と上下動とを相互に変換するように傾斜して構成される。
【００１３】
（６）好ましくは、上記（５）のステレオ録音用マイクロホンユニットにおいて、前記出没機構が、少なくとも各シャフトを上下動させる昇降機構を、さらに含む。
【発明の効果】
【００１４】
本発明のステレオ録音用マイクロホンユニットは、下記の技術的効果を奏する。
【００１５】
第１に、出没機構は、左右マイクロホンの配置を、真のＸＹ方式と他の方式とに切り替え可能とする。すなわち、出没機構は、左右マイクロホンの水平方向の角度が、互いの収音軸が交差する角度となったときに、左右マイクロホンの垂直方向の位置を異ならせる。このとき、左右マイクロホンの少なくとも一部が上下方向に重なって配置される。これにより、左右マイクロホンの配置が、真のＸＹ方式となる。一方、出没機構は、左右マイクロホンの水平方向の角度が、互いの収音軸が交差しない角度になったときに、左右マイクロホンの垂直方向の位置を同じにする。このとき、左右マイクロホンが、Ｖ字形又は平行に配置されることで、ＸＹ方式以外の他の方式の配置が実現される。
【００１６】
第２に、左右マイクロホンは、真のＸＹ方式の配置となったときに、高い録音品質を提供する。すなわち、左右マイクロホンは、真のＸＹ方式の配置となったときに、垂直方向の位置が異なり、かつ少なくとも一部が上下方向に重なって配置される。これにより、録音された音の配置関係が、左右方向に加えて遠近方向にも表現される。また、正面からの音を良好に録音することが可能となる。
【００１７】
第３に、左右マイクロホンは、筐体に収納された状態であっても、良好な録音品質を提供する。すなわち、左右マイクロホンは、筐体から展開された状態のときに、真のＸＹ方式の配置になる。一方、左右マイクロホンは、筐体に収納された状態のときに、他の方式の配置になる。したがって、左右マイクロホンは、収納状態及び展開状態の両方で、異なる方式に基づく良好な録音品質を提供する。
【図面の簡単な説明】
【００１８】
【図１】図１は本発明の一実施形態に係るステレオ録音用マイクロホンユニットを備えたビデオレコーダを示すものである。図１（ａ）〜（ｄ）はいずれも左右マイクロホンの収納状態を示す。図１（ａ）は正面図である。図１（ｂ）は平面図である。図１（ｃ）は右側面図である。図１（ｄ）は背面図である。
【図２】図２（ａ）〜（ｄ）はいずれも左右マイクロホンの第１の展開状態を示すものである。図２（ａ）は正面図である。図２（ｂ）は平面図である。図２（ｃ）は右側面図である。図２（ｄ）は背面図である。
【図３】図３（ａ）〜（ｄ）はいずれも左右マイクロホンの第２の展開状態を示すものである。図３（ａ）は正面図である。図３（ｂ）は平面図である。図３（ｃ）は右側面図である。図３（ｄ）は背面図である。
【図４】図４は左右マイクロホンの出没動作を示す正面図である。
【図５】図５（ａ）は左右マイクロホン及びシャフトを示す斜視図である。図５（ｂ）は図５（ａ）の部分断面図である。
【図６】図６（ａ）は左右マイクロホンの出没機構を示す斜視図である。図６（ｂ）〜（ｄ）は左右マイクロホンがＶ字形の配置から逆Ｖ型の配置に移行するまでの出没機構を示す平面断面図である。
【図７】図７は左右マイクロホンの昇降機構を示すものである。図７（ａ）は左右マイクロホンが収納状態のときの昇降機構を示す正面図である。図７（ｂ）は左右マイクロホンが第１の展開状態のときの昇降機構を示す正面図である。図７（ｃ）は左右マイクロホンが収納状態のときの昇降機構を示す側面断面図である。図７（ｂ）は左右マイクロホンが第１の展開状態のときの昇降機構を示す側面断面図である。
【発明を実施するための形態】
【００１９】
以下、本発明の一実施形態に係るステレオ録音用マイクロホンユニットを備えたビデオレコーダについて、図面を参照しつつ説明する。
【００２０】
なお、本発明は、以下に説明する実施形態の構成に限定されるものではない。例えば、本発明のステレオ録音用マイクロホンユニットは、ビデオレコーダに限らず、音声レコーダや外付けマイクロホンに適用することができる。また、以下の説明において、ステレオ録音用マイクロホンユニットは、単に「マイクロホンユニット」と省略する。
【００２１】
＜ビデオレコーダの全体構成＞
図１（ａ）〜（ｄ）に示すように、本実施形態のビデオレコーダ１００は、片手に収まる程のコンパクトな筐体１０１を有する。筐体１０１の正面には、画像を撮影するためのレンズ１０２が設けられる。筐体１０１の右側面には、バリアブルアングルに構成された表示部１０３が取り付けられる。筐体１０１の上面には、操作部１０４が設けられる。操作部１０４には、例えば、電源スイッチ１０４ａ、録画スイッチ１０４ｂ及びインプットボリュームダイヤル１０４ｃが含まれる。筐体１０１の背面には、複数の端子孔が配置される。ビデオレコーダ１００に必要な端子孔として、ＨＤＭＩ端子孔１０５ａ、ＵＳＢ端子孔１０５ｂ、外部入力端子孔１０５ｃ及びヘッドホン端子孔１０５ｄが例示される。
【００２２】
筐体１０１の後方には、本実施形態のマイクロホンユニット１が設けられる。マイクロホンユニット１は、左マイクロホン１０及び右マイクロホン２０を備える。左右マイクロホン１０、２０の正面は、多数の孔が形成された収音面１０Ａ、２０Ａになっている。また、マイクロホンユニット１の内部には、後述する出没機構３０及び昇降機構４０（図６及び図７を参照）が設けられる。左右マイクロホン１０、２０は、出没機構３０及び昇降機構４０により、筐体１０１の上面に対して、出没可能な構成となっている。すなわち、左右マイクロホン１０、２０は、筐体１０１の上面に対して、収納状態又は展開状態となる。
【００２３】
ここで、本実施形態における「収納状態」及び「展開状態」の用語は、筐体１０１の上面を基準に定義される。収納状態とは、左右マイクロホン１０、２０の垂直方向の位置が、筐体１０１の上面にあるときの状態を意味する。一方、展開状態とは、左右マイクロホン１０、２０の垂直方向の位置が、筐体１０１の上面よりも上にあるときの状態を意味する。筐体１０１の上面には、後述する凹部１０１ａ、１０１ａが含まれる。本実施形態のマイクロホンユニット１は、左右マイクロホン１０、２０を収納状態、第１の展開状態、及び第２の展開状態の３つの態様にすることができる。
【００２４】
＜収納状態＞
図１（ａ）〜（ｄ）は、左右マイクロホン１０、２０の収納状態を示す。本実施形態の左右マイクロホン１０、２０は、収納状態においてＶ字形に配置される。Ｖ字形に配置された左右マイクロホン１０、２０は、互いの収音軸の間の角度が約６０〜１２０°となる。ここで、「収音軸」とは、一般に、マイクロホンに内蔵された振動板の表面から直角方向に延びる仮想的な軸線をいう。振動板は、音を受けて振動し、この振動を電気変換系に伝える。図５（ａ）、（ｂ）に、左右マイクロホン１０、２０の収音軸ＡＸを示す。左右マイクロホン１０、２０の内部には、後述するマイクカプセル１２、２１が設けられる。各マイクカプセル１２、２１は、それぞれ図示しない振動板を備える。この振動板の表面から直角方向に延びる仮想的な軸線が、収音軸ＡＸ１である。
【００２５】
本実施形態の筐体１０１の上面には、Ｖ字形に配置された左右マイクロホン１０、２０の形状に対応する２つの凹部１０１ａ、１０１ａが形成される。左右マイクロホン１０、２０は、収納状態となったときに、筐体１０１の上面の２つの凹部１０１ａ、１０１ａに収納される。
【００２６】
＜第１の展開状態＞
本実施形態のマイクロホンユニット１は、後述する昇降機構４０を備える。この昇降機構４０は、左右マイクロホン１０、２０の両方を一緒に上下動させるように構成される。図１（ｄ）に示す筐体１０１の背面板１０５には、昇降機構４０の一部の構成要素であるスライド溝４１と、スライダー４２とが設けられる。スライダー４２は、スライド溝４２に沿って上下方向に移動可能となっている。スライダー４２が移動されたときの直線運動は、左右マイクロホン１０、２０の両方に伝達される。
【００２７】
図１（ｄ）に示すスライダー４２が、スライド溝４１に沿って上方に移動されると、左右マイクロホン１０、２０は、図２（ａ）〜（ｄ）に示す第１の展開状態となる。本実施形態の左右マイクロホン１０、２０は、Ｖ字形に配置されたまま、収納状態から第１の展開状態となる。左右マイクロホン１０、２０は、出没機構３０を構成する左右シャフト３１、３２にそれぞれ結合される。左右シャフト３１、３２は、垂直方向に平行に配置される。左右シャフト３１、３２は、その長手方向に延びる軸を中心に回転可能な構成となっている。左右マイクロホン１０、２０は、左右シャフト３１、３２とともに、水平方向に回転することが可能である。
【００２８】
＜第２の展開状態＞
上述したように、本実施形態のマイクロホンユニット１は、後述する出没機構３０を備える。この出没機構３０は、左右シャフト３１、３２の回転運動を直線運動に変換するように構成される。出没機構３０は、左右シャフト３１、３２が水平方向に回転されると、左右シャフト３１、３２を垂直方向に移動させる。このような構成により、左右シャフト３１、３２のそれぞれに結合された左右マイクロホン１０、２０は、水平方向に回転されると、垂直方向に移動する。さらに、本実施形態の出没機構３０は、左右マイクロホン１０、２０の水平方向の角度が、互いの収音軸ＡＸ１が交差する角度となったときに、左右マイクロホン１０、２０の垂直方向の位置を異ならせるように構成される。
【００２９】
図２（ａ）〜（ｄ）に示す第１の展開状態において、左右マイクロホン１０、２０は、水平方向に回転され、逆Ｖ字形に配置されると、図３（ａ）〜（ｄ）に示す第２の展開状態となる。左右マイクロホン１０、２０が逆Ｖ字形に配置されると、互いの収音軸ＡＸ１は、所定の角度で交差する。各収音軸ＡＸ１の交差角度は、例えば、約９０〜１３５°の範囲内である。さらに、第２の展開状態において、左右マイクロホン１０、２０は、互いの正面側の部分が上下方向に重なって配置される。このとき、左右マイクロホン１０、２０の互いの収音面１０Ａ、２０Ａが、垂直方向の同一軸線（図４の軸線ＡＸ２を参照）上で交差する。この結果、左右マイクロホン１０、２０は、第２の展開状態になったときに、真のＸＹ方式に必要な配置に関する条件を全て満たす。
【００３０】
＜左右マイクロホンの出没動作＞
図４は、収納状態、第１の展開状態及び第２の展開状態における左右マイクロホン１０、２０を示す。以下、図４に示す左右マイクロホン１０、２０の直径を「Ｒ」と仮定して、左右マイクロホン１０、２０の出没動作について説明する。なお、図４に「Ｒ」を用いて示された左右マイクロホン１０、２０の移動量は、あくまで説明のための例示である。本発明のマイクロホンユニットは、図４に例示した移動量に限定されない。
【００３１】
収納状態と第１の展開状態との切り替えは、後述する昇降機構４０によって行われる。昇降機構４０は、左右マイクロホン１０、２０の両方を一緒に上下動させる。図４に示されるように、左右マイクロホン１０、２０の両方は、収納状態から第１の展開状態になるときに、それぞれ上方に２Ｒの量を移動する。昇降機構４０は、左右マイクロホン１０、２０の水平方向の角度を変更しない。したがって、左右マイクロホン１０、２０は、Ｖ字形の配置のままで、収納状態から第１の展開状態になる。上記とは逆に、左右マイクロホン１０、２０の両方は、第１の展開状態から収納状態になるときに、それぞれ下方に２Ｒの量を移動する。
【００３２】
次に、第１の展開状態と第２の展開状態との切り替えは、後述する出没機構３０によって行われる。出没機構３０は、左右マイクロホン１０、２０の水平方向の角度に応じて、これら左右マイクロホン１０、２０を個別に上下動させる。図４に示されるように、左マイクロホン１０は、第１の展開状態から第２の展開状態になるときに、下方に１／２Ｒの量を移動する。一方、右マイクロホン２０は、第１の展開状態から第２の展開状態になるときに、上方に１／２Ｒの量を移動する。これにより、左右マイクロホン１０、２０は、垂直方向にＲの量だけ異なる位置で、逆Ｖ字形に配置される。このとき、互いの収音面１０Ａ、２０Ａは、垂直方向の同一軸線ＡＸ２上で交差する。なお、図４に示されないが、実際は、第２の展開状態となった左右マイクロホン１０、２０の間に、微小なクリアランスが確保される。
【００３３】
＜左右マイクロホン＞
図５（ａ）、（ｂ）に示されるように、本実施形態の左右マイクロホン１０、２０は、同一の構成となっている。左右マイクロホン１０、２０は、円筒形のケース１１、２１を備える。ケース１１、２１内には、単一指向性のマイクカプセル１２、２２が収納される。上述したように、ケース１１、２１の正面は、多数の孔が形成された収音面１０Ａ、２０Ａとなっている。
【００３４】
マイクカプセル１２、２２は、収音面１０Ａ、２０Ａの背後に配置される。マイクカプセル１２、２２内には、図示しない振動板と電界効果トランジスタ（ＦＥＴ）とが収納される。マイクカプセル１２、２２の正面には、振動板が配置される。マイクカプセル１２、２２の背面には、ＦＥＴのソース、ドレイン、ＧＮＤに対応する３つの電極が設けられる。ここで、本実施形態のマイクカプセル１２、２２は、音質に優れる３線式を採用している。このため、ＦＥＴの３つの電極には、それぞれリード線１３、２３が接続される。各リード線１３、２３は、左右シャフト３１、３２内を通過して、ビデオレコーダ１００の図示しない左右の音声入力部に接続される。
【００３５】
マイクカプセル１２、２２の振動板は、収音面１０Ａ、２０Ａを通過した音を受けて振動する。振動板の振動は、ＦＥＴによって電気信号に変換され、ソースのリード線１３、２３を介して、ビデオレコーダ１００の左右の音声入力部に入力される。
【００３６】
＜出没機構＞
本実施形態の出没機構３０は、図５（ａ）、（ｂ）及び図６（ａ）〜（ｄ）に示される。出没機構３０は、左右マイクロホン１０、２０を個別に上下動させるために、左右シャフト３１、３２と、４つのガイド突起３１ａ、３２ａと、２つのシャフトカバー３３と、及び４つのガイド溝３３ａを含む。
【００３７】
図５（ａ）、（ｂ）において、左右シャフト３１、３２は、いずれも金属製のパイプからなる。左シャフト３１の側面の中央よりも下方には、２つのガイド突起３１ａ、３１ａが設けられる。本実施形態のガイド突起３１ａ、３１ａは、１本の金属製のピンの両端部によって構成される。この金属製のピンは、左シャフト３１の側面を水平に貫通する。したがって、２つのガイド突起３１ａ、３１ａは、左シャフト３１の側面における垂直方向の同じ位置に設けられる。これと同様に、右シャフト３２の側面の下方にも、２つのガイド突起３２ａ、３２ａが設けられる。ガイド突起３２ａ、３２ａも、右シャフト３２の側面を水平に貫通する、１本の金属製のピンの両端部によって構成される。
【００３８】
ここで、左右のガイド突起３１ａ、３２ａは、互いの垂直方向の位置が異なる。図４の例示に従うと、左右のガイド突起３１ａ、３２ａの位置は、互いに垂直方向に１／２Ｒの量だけ異なる。
【００３９】
図６（ａ）に示されるように、左右シャフト３１、３２の側面のうち、ガイド突起３１ａ、３２ａが設けられている部分は、シャフトカバー３３、３３によって覆われる。左右のシャフトカバー３３、３３は、全く同一の構成となっている。
【００４０】
シャフトカバー３３は、左右シャフト３１、３２よりも大きい直径の円筒形の壁部によって構成される。この壁部には、一対のガイド溝３３ａ、３３ａが対向して設けられる。一対のガイド溝３３ａ、３３ａは、全く同一の形状を有する。ガイド溝３３ａの主要な部分は、円筒形の壁部に沿って上下方向に延びる傾斜溝からなる。この傾斜溝の上端及び下端は、水平方向に延びる短い溝にそれぞれ連続する。図４の例示に従うと、ガイド溝３３ａの上端と下端とは、垂直方向に１／２Ｒの量の高低差を有する。
【００４１】
一対のガイド溝３３ａ、３３ａには、２つのガイド突起３１ａ、３１ａ又は３２ａ、３２ａがそれぞれ係止される。また、シャフトカバー３３は、その壁部に設けられた連結凸部３３ｂによって、後述する昇降機構４０に固定される。このような構成により、各ガイド突起３１ａ、３２ａは、左右シャフト３１、３２の回転に伴って、ガイド溝３３ａに沿って上下方向に移動する。つまり、左右シャフト３１、３２の回転運動は、上下方向の直線運動に変換される。
【００４２】
ここで、図６（ａ）は、上述した収納状態及び第１の展開状態、すなわち、左右マイクロホン１０、２０がＶ字形に配置されたときの状態を示す。左右マイクロホン１０、２０は、以下に述べる構成により、Ｖ字形から逆Ｖ字形の配置に切り替わる。
【００４３】
図６（ａ）において、左シャフト３１のガイド突起３１ａは、ガイド溝３３ａの上端に位置する。このため、左シャフト３１は、ガイド溝３３ａに従って、図中の時計回りにのみ回転することが可能である。時計回りに回転した左シャフト３１は、ガイド溝３３ａの高低差である１／２Ｒの量だけ下方に移動する。
【００４４】
一方、図６（ａ）において、右シャフト３２のガイド突起３２ａは、ガイド溝３３ａの下端に位置する。このため、右シャフト３２は、図中の反時計回りにのみ回転することが可能である。反時計回りに回転した右シャフト３２は、ガイド溝３３ａの高低差である１／２Ｒの量だけ上方に移動する。
【００４５】
上述した構成により、左右マイクロホン１０、２０は、垂直方向にＲの量だけ異なる位置で、逆Ｖ字形に配置される（図４（ｂ）を参照）。
【００４６】
ここで、図６（ｂ）〜（ｄ）に示されるように、本実施形態の出没機構３０は、左右マイクロホン１０、２０の配置を検出するための左右のスイッチ３４、３４を含む。左右のスイッチ３４、３４は、全く同一の構成であるが、シャフトカバー３３のガイド溝３３ａに対する配置が異なる。左シャフト３１に対応するスイッチ３４は、ガイド溝３３ａの下端近傍に配置される。右シャフト３２に対応するスイッチ３４は、ガイド溝３３ａの上端近傍に配置される。左右マイクロホン１０、２０が逆Ｖ字形に配置されたときに、左右のガイド突起３１ａ、３２ａが、２つのスイッチ３４、３４をＯＮにする（図６（ｄ）を参照）。
【００４７】
ビデオレコーダ１００に内蔵された演算処理装置は、２つのスイッチ３４、３４の両方がＯＮになった場合、左右マイクロホン１０、２０の左右の音声入力を入れ替える。すなわち、演算処理装置は、左右マイクロホン１０、２０が逆Ｖ字形に配置されたときに、左マイクロホン１０からの信号を右の音声入力として処理し、また、右マイクロホン２０からの信号を左の音声入力として処理する。
【００４８】
＜昇降機構＞
本実施形態のマイクロホンユニット１は、図７（ａ）〜（ｄ）に示される昇降機構４０を備える。昇降機構４０は、スライド溝４１、スライダー４２及び昇降板４３を含む。これらの昇降機構１０の構成要素は、筐体１０１の背面板１０５に設けられる。
【００４９】
スライド溝４１は、背面板１０５の上下方向に形成された直線状の溝である。スライダー４２は、背面板１０５の表側からスライド溝４１に摺動可能に取り付けられる。スライダー４２は、背面板１０５の裏側に配置された昇降板４３に結合される。昇降板４３は、一対の連結凹部４３ａ、４３ａを有する。連結凹部４３ａ、４３ａには、出没機構３０を構成する２つのシャフトカバー３３、３３の連結凸部３３ｂ、３３ｂが固定される。
【００５０】
図４の例示に従うと、スライド溝４１は、スライダー４２の垂直方向の長さに２Ｒを加えた長さになっている。スライダー４２は、スライド溝４１に沿って、上下方向に２Ｒの量を移動することが可能である。昇降板４３は、スライダー４２の移動に伴って上下方向に２Ｒの量を移動する。昇降板４３に取り付けられた左右シャフト３１、３２も、スライダー４２の移動に伴って上下方向に２Ｒの量を移動する。このような構成からなる昇降機構４０により、左右マイクロホン１０、２０を収納状態又は第１の展開状態に切り替えることが可能となる。
【００５１】
＜技術的効果＞
上述した本実施形態のマイクロホンユニット１は、下記の技術的効果を奏する。
【００５２】
第１に、出没機構３０は、左右マイクロホン１０、２０を、真のＸＹ方式としての逆Ｖ字形の配置と、Ｖ字形の配置とに切り替え可能とする。すなわち、出没機構３０は、左右マイクロホン１０、２０が逆Ｖ字形に配置されたときに、左右マイクロホン１０、２０の垂直方向の位置を異ならせる。このとき、左右マイクロホン１０、２０の正面側の部分が上下方向に重なって配置され、かつ互いの収音面１０Ａ、２０Ａが垂直方向の同一軸線ＡＸ２上で交差する。これにより、左右マイクロホン１０、２０の配置が、真のＸＹ方式となる。一方、出没機構３０は、左右マイクロホン１０、２０がＶ字形に配置されたときに、左右マイクロホン１０、２０の垂直方向の位置を同じにする。このように、本実施形態のマイクロホンユニット１は、真のＸＹ方式としての逆Ｖ字形の配置と、Ｖ字形の配置との両方を成立させることができる。
【００５３】
第２に、左右マイクロホン１０、２０は、真のＸＹ方式の配置となったときに、高い録音品質を提供する。すなわち、左右マイクロホン１０、２０は、逆Ｖ字形の配置となったときに、垂直方向の位置が異なり、かつ互いの収音面１０Ａ、２０Ａが垂直方向の同一軸線ＡＸ２上で交差する。これにより、録音された音の配置関係が、左右方向に加えて遠近方向にも表現される。また、正面からの音を良好に録音することが可能となる。
【００５４】
第３に、左右マイクロホン１０、２０は、筐体１０１に収納された状態であっても、良好な録音品質を提供する。すなわち、左右マイクロホン１０、２０は、筐体１０１から展開された状態のときに、真のＸＹ方式の配置になる。一方、左右マイクロホン１０、２０は、筐体１０１に収納された状態のときに、Ｖ字形の配置になる。したがって、左右マイクロホン１０、２０は、収納状態及び展開状態の両方で、異なる方式に基づく良好な録音品質を提供する。
【００５５】
なお、本発明のマイクロホンユニットは、上述した実施形態に限定されず、種々の構成の変更が可能である。例えば、左右マイクロホンの収納状態のときの配置は、Ｖ字形の配置に限定されない。例えば、左右マイクロホンは、収納状態のときに平行に配置されるような構成であってもよい。また、出没機構及び昇降機構は、図面に示した構成に限定されない。さらに、本発明のマイクロホンユニットは、ビデオレコーダーに限らず、例えば、音声レコーダ又は外付けマイクロホンなどに適用することができる。
【符号の説明】
【００５６】
１  マイクロホンユニット
１０  左マイクロホン
２０  右マイクロホン
１０Ａ、２０Ａ  収音面
１１、２１  ケース
１２、２２  マイクカプセル
１３、２３  信号線
３０  出没機構
３１  左シャフト
３２  右シャフト
３１ａ、３２ａ  ガイド突起
３３  シャフトカバー
３３ａ  ガイド溝
３３ｂ  連結凸部
３４  スイッチ
４０  昇降機構
４１  スライド溝
４２  スライダー
４３  昇降板
４３ａ  連結凹部
１００  ビデオレコーダ
１０１  筐体
１０１ａ  凹部
１０２  レンズ
１０３  表示部
１０４  操作部
１０４ａ  電源スイッチ
１０４ｂ  録画スイッチ
１０４ｃ  インプットボリュームダイヤル
１０５  背面板
１０５ａ：ＨＤＭＩ端子孔
１０５ｂ：ＵＳＢ端子孔
１０５ｃ：外部入力端子孔
１０５ｄ：ヘッドフォン端子孔
ＡＸ１：収音軸
ＡＸ２：垂直方向の軸線
【図１】
0006389816.tif 000002
【図２】
0006389816.tif 000003
【図３】
0006389816.tif 000004
【図４】
0006389816.tif 000005
【図５】
0006389816.tif 000006
【図６】
0006389816.tif 000007
【図７】
0006389816.tif 000008